(57)【要約】【課題】ＤＶＤ等の大容量光ディスクに動画を記録した後で、ユーザがグループ分け（もしくはフォルダ分け）する機能がある。このグループ分けした結果を、他のＤＶＤレコーダで見る場合、見え方（グラフィックス表示）がＤＶＤレコーダ毎にまちまちだった。【解決手段】ユーザは記録した動画をグループ分けして、グルーピング情報を保存する。次にグルーピング情報に基づき、タイトルメニューを生成して、記録する。これにより、タイトルメニューの表示は、例えばグループ化による分類整理した結果も基づき、グラフィカルに、そのグループに含まれる各プレイリストのサムネイル画像を表示できる。【選択図】図８
2007122786.tif 000002
【特許請求の範囲】
【請求項１】
映像もしくは音声を含むデータストリーム、グループ情報、およびメニュー制御データを記録する記録部と、
前記データストリームのグループ分けに関する前記グループ情報を保存するグループ情報保存部と、
前記グループ情報に従ってメニューを表示するメニュー制御データを記録するメニュー記録部とを有し、
前記メニュー制御データはメニュー画面を一様に表示するための情報であることを特徴とするＡＶデータ処理装置。
【請求項２】
映像もしくは音声を含むデータストリーム、グループ情報、およびメニュー制御データを記録するステップと、
前記データストリームのグループ分けに関する前記グループ情報を保存するステップと、
前記グループ情報に従ってメニューを表示するメニュー制御データを記録するステップとを有し、
前記メニュー制御データはメニュー画面を一様に表示するための情報であることを特徴とするＡＶデータ処理方法。
【請求項３】
映像もしくは音声を含むデータストリーム、グループ情報、およびメニュー制御データを記録するステップと、
前記データストリームのグループ分けに関する前記グループ情報を保存するステップと、
前記グループ情報に従ってメニューを表示するメニュー制御データを記録するステップとを有し、
前記メニュー制御データはメニュー画面を一様に表示するための情報であることを特徴とするＡＶデータ処理プログラム。
【請求項４】
映像もしくは音声を含むデータストリーム、グループ情報、およびメニュー制御データを記録する記録部と、
前記データストリームのグループ分けに関する前記グループ情報を保存するグループ情報保存部と、
前記グループ情報に従ってメニューを表示するメニュー制御データを記録するメニュー記録部とを有し、
前記メニュー制御データはメニュー画面を一様に表示するための情報であることを特徴とするＡＶデータ処理ＬＳＩ。
【発明の詳細な説明】
【技術分野】
【０００１】
本発明は、メディア（すなわち、記録媒体）上に記録された例えば動画を含む複数のデータストリームに対してユーザがグループ分け実施することにより、後の閲覧を容易にするための記録方法や表示方法に関する。
【背景技術】
【０００２】
近年、ＤＶＤ等の光ディスク、ハードディスク等の磁気ディスク、半導体メモリ等のメディアにコンテンツのデジタルデータを書き込み、保存できるデジタル機器（光ディスクレコーダ、カムコーダ等）の普及が進んでいる。このようなコンテンツは、例えば、放送された番組やカムコーダ等によって撮影された映像および音声である。
【０００３】
この様なディスクに記録されたコンテンツに対して、記録した後でユーザが整理のためグループ分けして記録する方法が提案されている（特許文献１）。
【特許文献１】特開２００５−１３５５０３号公報
【発明の開示】
【発明が解決しようとする課題】
【０００４】
グループ管理を行うためには、コンテンツ間とグループの関係、および、グループ間の階層関係を記述して保存すれば良い。しかしながら、グループ化による分類整理した結果を、コンテンツを閲覧する複数のユーザ間で共有することは難しかった。これは、グループ化による分類整理した結果は、コンテンツ間の関係情報であり、ＡＶデータ処理装置がその関係情報をユーザにどう見せるかは、ＡＶデータ処理装置の画面表示仕様に依存するため、ＡＶデータ処理装置の種類が異なれば、画面表示の内容が異なっていた。
【０００５】
本発明は、グループ化により分類整理した結果を、ＡＶデータ処理装置の種類に依存しない、統一された形式でユーザに提供することを目的とする。
【課題を解決するための手段】
【０００６】
本発明によるＡＶデータ処理装置は、映像もしくは音声を含むデータストリーム、グループ情報、およびメニュー制御データを記録する記録部と、前記データストリームのグループ分けに関する前記グループ情報を保存するグループ情報保存部と、前記グループ情報に従ってメニューを表示するメニュー制御データを記録するメニュー記録部とを有し、前記メニュー制御データはメニュー画面を一様に表示するための情報であることを特徴とする。
【０００７】
これにより、グループ化による分類整理結果をタイトルメニューとして記録するので、ＡＶデータ処理装置の種類に依存しない形態で、ユーザに分類整理結果を見せることができる。
【発明の効果】
【０００８】
本発明によれば、グループ化による分類整理結果をタイトルメニューとして記録するので、ＡＶデータ処理装置の種類に依存しない統一された画面表示形態で、ユーザに分類整理結果を見せることができる。
【発明を実施するための最良の形態】
【０００９】
以下、添付の図面を参照して、本発明によるＡＶデータ処理装置の実施形態を説明する。
【００１０】
（実施の形態１）
図１は、本発明に実施の形態１によるＡＶデータ処理装置の構成を示すブロックである。ＡＶデータ処理装置２００は、その主要な構成として、ＭＰＥＧエンコーダ１７０、ＭＰＥＧデコーダ１７１及びシステム制御部１８０を有し、その詳細は以下に説明する。
【００１１】
動画記録時は、記録制御部１６１の制御により、映像信号入力部１００及び音声信号入力部１０２から入力した信号を各々映像圧縮部１０１及び音声圧縮部１０３で圧縮し、システムエンコード部１０４においてトランスポートストリームを作成し、記録部１２０、ピックアップ１４１を経由して光ディスク１４０へ書き込む。
【００１２】
記録制御部１６１はトランスポートリームの記録を開始する前に、連続データ領域検出部１６０を起動して、空き領域を捜させる。連続データ領域検出部１６０は、論理ブロック管理部１６３で管理されるあらかじめ光ディスクから読出したスペースビットマップを利用して連続した空き領域を探索する。そして探索の結果として検出された空き領域上にトランスポートストリームの記録を開始する。そして、検出した空き領域へのトランスポートストリームの書込みで一杯になるまでに、次の空き領域を継続的に探索しトランスポートストリームの記録を継続する。トランスポートストリームの書き込みが完了すると、ＵＤＦのファイル管理情報を書き込み、トランスポートストリームファイル（＊．ｍ２ｔｓファイル、すなわち動画ストリームを格納するファイル）の書き込みを完了する。次に、記録完了したトランスポートストリームに対応するストリーム管理データファイル（＊．ｃｌｐｉ）を記録する。次に記録完了したトランスポートストリームと１：１に対応するプレイリストファイル（＊．ｍｐｌｓ）を記録する。さらに、対応するサムネイル画像をサムネイル管理ファイル（ｍｅｎｕ．ｔｉｄｘ）、およびサムネイルデータ管理ファイル（ｍｅｎｕ．ｔｄａｔ）を記録する。プレイリストファイルは、トランスポートストリームファイルの中の具体的な再生範囲を指定する。本実施例では、動画記録完了の直後においては、トランスポートストリームの先頭から末尾までを再生範囲としているものとする。
【００１３】
また、再生時は、ユーザが再生すべきコンテンツを選択すると、再生制御部１６２の制御により、再生部１２１を経由して、コンテンツに対応するデータストリームの管理情報を管理ファイルから読み出し、その管理ファイルに記載されたアドレス情報を参照して、さらにトランスポートストリームを読み出す。このトランスポートストリームをシステムデコード部１１４で映像信号と音声信号に分離し、各々映像伸長部１１１及び音声伸長部１１３を介して、映像表示部１１０及び音声出力部１１２へ出力する。
【００１４】
また、編集制御部１６４は、記録済みのコンテンツに対してユーザから部分的な削除が指示されたときに、記録部１２０および再生部１２１を起動してトランスポートストリームやトランスポートストリームの管理データを読出したり、修正後に書き込んだりして編集処理の制御を行う。また、記録済みのコンテンツに対してユーザから削除が指示された時に、対応するトランスポートストリーム、ストリーム管理データファイル、プレイリストファイルおよび、対応するサムネイル画像を削除する。さらに、実行すべきプレイリストファイルが登録されているインデックスファイルも修正する。
【００１５】
また、編集制御部１６４、ユーザが記録済みの動画ファイルの気に入った区間を切り出して再生するプレイリストを生成して、光ディスク１４０に記録することができる。また、複数の気に入った区間をひとまとまりとして再生するプレイリストを生成して光ディスク１４０に記録することができる。
【００１６】
また、グループ記録再生部１６５は、ユーザが指定により特定のクリップ、もしくはプレイリストをひとつのグループとして取り扱うための管理情報であるｇｒｏｕｐＭｇｒファイルを光ディスク１４０上に記録する。また、再生時にそのグループおよびそのグループを構成するクリップおよびプレイリストの階層関係をたとえば図３のようなグラフィックス表示によりユーザに見せる。
【００１７】
また、タイトルメニュー記録部１６６は、ユーザの起動に従って、グループ管理ファイルｇｒｏｕｐＭｇｒファイルを参照して、タイトルメニューを生成し、新しいｔｉｔｌｅＭｅｎｕ．ｊａｒファイルとして光ディスク１４０に記録する。
【００１８】
図２は本実施の形態１の光ディスク１４０上のファイル構成である。ＲＯＯＴディレクトリの下にＢＤＭＶディレクトリが作られ、その下に各種ファイルが記録される。ｉｎｄｅｘ．ｂｄｍｖファイルには再生されるムービーオブジェクトのリストが記録される。ひとつのムービーオブジェクトは、プレイリストの集合か、もしくは、Ｊａｖａ(登録商標）プログラム（例えば、ｔｉｔｌｅＭｅｎｕ．ｊａｒ）のどちらか一方から構成される。ＭｏｖｉｅＯｂｊｅｃｔ．ｂｄｍｖファイルには、ムービーオブジェクトがプレイリストの集合から構成される場合に、そのムービーオブジェクト毎に、ムービーオブジェクトを構成するプレイリストのリストが記録される。また、ｉｎｄｅｘ．ｂｄｍｖファイルに登録されないムービーオブジェクトは再生されないものとする。Ｍｅｎｕディレクトリの下にはタイトルメニューを表示可能なＪａｖａ(登録商標）プログラム（ｔｉｔｌｅＭｅｎｕ．ｊａｒ）、サムネイル管理ファイル（ｍｅｎｕ．ｔｉｄｘ）、およびサムネイルデータファイル（ｍｅｎｕ．ｔｄａｔ）が記録される。サムネイルデータファイルには、動画ストリーム毎に代表静止画像（サムネイル）がＪＰＥＧ符号形式で格納される。サムネイル管理ファイルには、動画ストリームと代表静止画像との対応に関する情報（動画ストリームのファイル名と、代表静止画像のサムネイルデータファイル内での記録先アドレス）が格納されている。タイトルメニューを出すＪａｖａ(登録商標）プログラムは、サムネイルデータファイル内の代表静止画像を使って、タイトルメニューを描画し、ユーザが選択した動画ストリームの再生を開始する。その完了後は、Ｊａｖａ(登録商標）プログラムの記述に従って再びタイトルメニューの描画や、異なる動画ストリームの再生等を実施する。
【００１９】
ＰＬＡＹＬＩＳＴディレクトリには動画ストリームに１：１に対応するプレイリストファイル（＊．ｍｐｌｓ）が格納される。ＳＴＲＥＡＭディレクトリには動画ストリーム（＊．ｍ２ｔｓ）が格納される。ＣＬＩＰＩＮＦディレクトリには動画ストリーム対応する管理データファイル（＊．ｃｌｐｉ）が格納される。動画ストリームとトランスポートストリーム符号形式で格納される。以下の説明で、記録１回分の動画ストリームと対応する管理データファイルの組をクリップと呼ぶことがある。
【００２０】
Ｇｒｏｕｐディレクトリには、グループ管理ファイルｇｒｏｕｐＭｇｒが記録される。このｇｒｏｕｐＭｇｒファイルは、クリップが記録／編集される場合、およびグループが記録／編集される場合に記録／追加が行われる。また、グループの状態をユーザに表示する場合に参照される。
【００２１】
なお、光ディスク１４０はＵＤＦファイルシステムでフォーマットされているものとする。このとき、空き領域の管理単位でもあり、また領域の割り付け単位でもある論理ブロックは、２ｋバイトであるものとする。
【００２２】
図３はユーザがＡＶデータ処理装置２００を操作して、グループ分けを指示する場合の例を示す。ここではひとつのクリップ３０１と、２つのプレイリスト３０２、３０３の合計３つをひとつのグループフォルダ３００としてまとめることを指示するケースを示す。
【００２３】
図４は、グループ管理ファイルを使って図３のグループ分けの情報を記録する方法を示す。図３のグループフォルダ３００は、プレイリスト４００として表現して記録される。また、プレイリスト４００には、ひとつのクリップ３０１の再生が登録される。また、プレイリスト３０２、３０３は属性として“一般”プレイリストであること、および、小グループＩＤ＝０２０００であることがグループ管理ファイルに記録される。また、プレイリスト４００は属性として“グループ”管理用プレイリストであること、および大グループＩＤ＝０３０００であることが管理ファイルに記録される。
【００２４】
もともとグループ管理の機能を持たないフォーマットのディスクに対して、簡単な管理方法の追加により、階層的なグループ管理を実現する。同時に、ユーザが記録したコンテンツだけでなく、ユーザが作成したプレイリストを混在させたグループ分けを実現する。
【００２５】
このとき、プレイリストファイルのデータ構造は一切変更する必要がないので、既存フォーマットにしか対応していないＡＶデータ処理装置においても、グループ管理以外の再生処理は従来通り実施できる。
【００２６】
また、属性＝グループのプレイリスト４００は、クリップ３０１、およびプレイリスト３０２、３０２をひとつのグループとして取り扱うためのグループフォルダ３００として、ユーザに表示することができる。
【００２７】
図５は、グループ管理ファイルが記録するプレイリスト属性管理テーブルを示す。プレイリスト属性管理テーブルは、プレイリスト毎に、プレイリストＩＤ（識別子）、属性、タイトル、小グループＩＤ、大グループＩＤが記録される。
【００２８】
ユーザがクリップ０１０１０、プレイリスト０１０００、およびプレイリスト０１００１を運動会というタイトルのグループとする場合は、図５に示すプレイリスト属性管理テーブルを記録する。さらに、同様に旅行というタイトルのグループや、スキーというタイトルのグループを生成する場合は、図５に示す様なグループ属性のプレイリスト０２００１、および０２００２が登録される。
【００２９】
また、図５では、大グループＩＤを各プレイリストに付与することにより、ユーザが運動会グループ、旅行グループ、およびスキーグループをひとつのフォルダグループ（タイトル名：２０００年）として登録している。
【００３０】
図６は、タイトルメニュー記録部１６６が記録するタイトルメニューｔｉｔｌｅＭｅｎｕ．ｊａｒファイルの画面表示例を示す。運動会に分類されたプレイリストに対応するサムネイル画像を、１ページ分として４列×３行で表示する。
【００３１】
図７は、タイトルメニュー記録部１６６が記録するタイトルメニュー表示用のＪａｖａ(登録商標）プログラムの処理手順例を示す。Ｊａｖａ(登録商標）プログラムは、まずグループ管理ファイルを参照して、運動会グループに属するプレイリストファイルの数をカウントする（Ｓ１００）。次に、１ページのタイトルメニューに１２枚（４列×３行）のサムネイル画像を表示するものとした場合に、グループ内のクリップとプレイリストの表示に必要な頁総数を算出する（Ｓ１１０）。次にタイトルメニューの背景画像およびグループ名（運動会）を描画し（Ｓ１２０）、さらに現在のページ番号、およびタイトルメニューの頁総数を表示する（Ｓ１３０）。そして、１ページ内に１２枚（４列×３行）のサムネイル画像を配置してタイトルメニューを描画する（Ｓ１４０）。そしてユーザからのタイトル（動画ストリーム）の選択待ちに入る（Ｓ１５０）。ユーザが特定のタイトルを選択すると、対応する動画ストリームの再生を画面全体を使って表示開始する（Ｓ１６０）。表示完了を待って（Ｓ１７０）、再びタイトルメニューの再描画を行う（Ｓ１２０）。
【００３２】
一方、ユーザがタイトルを選択しないで、タイトルメニューのページを選択した場合は、次のページに対応する動画ストリームのサムネイル画像を使ってタイトルメニューの再描画を開始する（Ｓ１２０）。
【００３３】
ユーザがタイトルメニュー終了を選択したら、Ｊａｖａ(登録商標）プログラムの実行を終了する。
【００３４】
図８は、タイトルメニュー記録部１６６が生成して記録するタイトルメニュー表示用のＪａｖａ(登録商標）プログラムの第２の画面表示例を示す。図６との違いは、複数のグループが、グループ選択用のタブとして表示され、例えば旅行タブをユーザが選択すると、旅行グループに属するプレイリスト、もしくはクリップのサムネイル画像を使った一覧が表示される点である。ページ送りボタンを押すと、新しいページにサムネイル画像を使った後続の一覧が表示される。
【００３５】
図９は、タイトルメニュー記録部１６６が生成して記録するタイトルメニュー表示用のＪａｖａ(登録商標）プログラムの第３の画面表示例を示す。最初に、グループ名だけを表示し、特定のグループがユーザにより選択されたら、新しいページに、各グループに関係するプレイリスト、もしくはクリップのサムネイル画像を使った一覧が表示される。
【００３６】
以上の構成により、ユーザは例えば運動会グループに属するクリップやプレイリストから構成されるタイトルメニューを生成して記録する場合は、ＡＶデータ処理装置２００のキー操作等により、タイトルメニュー記録部１６６を起動する。タイトルメニュー記録部１６６は、グループ情報管理ファイルｇｒｏｕｐＭｇｒファイルを参照してタイトルメニューを表示する図７に示す処理内容を有するＪａｖａ(登録商標）プログラムをＴｉｔｌｅＭｅｎｕ．ｊａｒファイルとして生成し、ｉｎｄｅｘ．ｂｄｍｖファイルに登録する。これにより、光ディスク１４０が、他のＡＶデータ処理装置（例えばＢＤプレーヤ）で装着された場合であっても、運動会グループを表示する図６に示すタイトルメニューが表示される。タイトルメニューは、ＢＤ−ＲＯＭ規格に準拠した再生機能を有するＡＶデータ処理装置においては、その機種や、メーカ等によらず、均一に画面表示される。これにより、ユーザは、ＡＶデータ処理装置上で、まず、グループ分けを行い、つぎにタイトルメニューを作成することにより、グループ分けによる分類整理結果を、誰にでも同じ表示画面により表示できる様になる。
【００３７】
なお、グループ属性のプレイリストは、グループ管理専用のムービーオブジェクトとしてまとめて再生されるようにＭｏｖｉｅＯｂｊｅｃｔ．ｂｄｍｖファイルに登録しても良い。さらに、このＭｏｖｉｅＯｂｊｅｃｔは直接再生されることが無い様に、ｉｎｄｅｘ．ｂｄｍｖファイルから参照しない様にしても良い。
【００３８】
なお、図５のプレイリスト属性管理テーブルではプレイリストの属性として、一般か、グループのどちらかとしたが、属性＝グループを細分化して、属性＝大グループ、および、属性＝小グループという様にわけても良い。またさらに、グループ属性の意味付けを加えた番号などを使って、グループ属性をさらに細かく分けても良い。ただし、この場合、プレイリスト管理テーブルの管理項目として、細かくしたグループとプレイリストの間の包含関係を、大グループＩＤや小グループＩＤと同様に、管理する必要があることは言うまでもない。
【００３９】
なお、実施の形態では、グループＩＤによるグループ管理方法を示したが、たとえば、本実施例のプレイリストの属性管理と、ＦＡＴファイルシステムのフォルダ（ディレクトリ）管理方法を組み合わせて管理しても良い。
【００４０】
なお、実施の形態では、データストリーム等を格納するメディアはリムーバブル・光ディスクであるとしたが、取り外し可能なメディアである必要は無く、非可換メディア、例えばＡＶデータ処理装置に内蔵されたＨＤＤであってもよい。
【００４１】
また、実施の形態において、記憶媒体は光ディスクであるものとしたが、特にこれに限定するものではなく、例えばメモリカード、フラッシュメモリ、ＦｅＲＡＭ、ＭＲＡＭ等の半導体メモリであっても良い。また、光ディスクはＤＶＤ−ＲＡＭ、ＭＯ、ＤＶＤ−Ｒ、ＤＶＤ−ＲＷ、ＤＶＤ＋ＲＷ、ＤＶＤ＋Ｒ、ＣＤ−Ｒ、ＣＤ−ＲＷ、ＢＤ−ＲＥ、ＢＤ−Ｒ、ＨＤ−ＤＶＤ等の光ディスクやハードディスクであっても良い。
【００４２】
なお、実施の形態ではＵＤＦファイルシステムに関して説明したが、同様な構成であれば異なるファイルシステムであっても良い。
【００４３】
なお、図１等の各機能ブロックは典型的には集積回路（Ｌａｒｇｅ  Ｓｃａｌｅ  Ｉｎｔｅｇｒａｔｅｄ  Ｃｉｒｃｕｉｔ；ＬＳＩ）のチップとして実現される。これらは個別に１チップ化されてもよいし、一部または全てを含むように１チップ化されてもよい。例えば、図１においては、ＭＰＥＧエンコーダ部１７０とシステム制御部１８０とは別個の機能ブロックとして示されている。これらはそれぞれ別個の半導体チップとして実装されてもよいし、物理的に同一のチップによって実現してもよい。また、システム制御部１８０、ＭＰＥＧエンコーダ１７０およびＭＰＥＧデコーダ１７１の機能を集積化して、１つのチップ回路として実現してもよい。ただし、例えば符号化または復号化の対象となるデータを格納するメモリのみを集積化の対象から除外しても良い。
【００４４】
システム制御部１８０は、プログラムＲＯＭ等に格納されたコンピュータプログラムを実行することにより、本明細書に記載した機能を実現することができる。
【００４５】
なお、上述の「ＬＳＩ」は、集積度の違いにより、ＩＣ、システムＬＳＩ、スーパーＬＳＩ、ウルトラＬＳＩと呼称されることもある。集積回路化の手法はＬＳＩに限るものではなく、専用回路又は汎用プロセサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。
【００４６】
さらには、半導体技術の進歩又は派生する別技術によりＬＳＩに置き換わる集積回路化の技術が登場すれば、その技術を用いて機能ブロックの集積化を行ってもよい。例えば、バイオテクノロジーを利用したいわゆるバイオ素子として集積化を行ってもよい。
【００４７】
また、実施の形態において、データストリームはトランスポートパケット毎に到着タイムスタンプ（Ａｒｒｉｖａｌ  Ｔｉｍｅ  Ｓｔａｍｐ）を付加したトランスポートストリームを想定したが、プログラムストリーム、ＰＥＳストリーム、ＱｕｉｃｋＴｉｍｅストリーム、ＭＰ４ストリーム、ＡＶＩストリーム、ＡＳＦストリーム、ＭｏｔｉｏｎＪＰＥＧストリーム等の他のビットストリームであっても良い。
【００４８】
なお、実施の形態において、映像はＭＰＥＧ−２ビデオストリームを例としたが、ＭＰＥＧ−４ビデオストリームやＭＰＥＧ−４ＡＶＣ（Ｈ．２６４）ストリームであっても良い。また、音声もリニアＰＣＭオーディオストリームやＡＣ−３ストリーム等であっても良い。また、映像や音声以外の他の種類（グラフィックス情報や文字情報等）のマルチメディア情報を含んでいても良い。
【００４９】
なお、実施の形態において、１個のトランスポートストリームを１個のデータストリームファイルに格納可能としたが、複数のトランスポートストリームを１個のデータストリームファイルとして構成できるものとしても良い。
【００５０】
なお、実施の形態において、タイトルメニューを描画するＪａｖａ(登録商標）プログラムは光ディスクが挿入された時点で記録されるものとしたが、光ディスクのフォーマットが完了した時点であってもよい。また、ユーザの操作により指定した時点であっても良い。
【００５１】
なお、実施の形態において、動画ストリームの映像圧縮符号はＭＰＥＧ−２ビデオ、ＭＰＥＧ−４ＡＶＣ、ＭＰＥＧ−４ビジュアル等、ＶＣ−１等、プレーヤで再生可能なものであれば特に問わない。
【００５２】
なお、実施の形態において光ディスクはＵＤＦファイルシステムを使ってファイルを管理するものとした。ＵＤＦファイルシステムのバージョンは１．５、２．０、２．０１、２．５、２．６のいずれであっても良い。
【００５３】
なお、実施の形態においてもともとグループ管理の機能を持たないフォーマットのディスクを想定したが、新規のフォーマットにおけるグループ管理方法として実施しても良い。
【００５４】
なお、本実施の形態において、タイトルメニューはＪａｖａ(登録商標）プログラムで記述するものとしたが、例えば、メニュー表示用の動画ストリームを用いて実施しても良い。ただし、この場合、動画ストリーム中に、タイトルメニュー表示用のグラフィックスデータや、サムネイル画像が選択後の動作コマンド等をあらかじめタイトルメニュー表示用の動画ストリーム内に多重化しておく必要がある。また、光ディスク上のコンテンツの一部が削除された場合、この様な作りこみメニューと矛盾が発生しないように注意が必要となる。
【００５５】
なお、本実施の形態において、機器メニューが最初に再生されるものとしたが、逆にタイトルメニューが表示されても良いことは言うまでも無い。
【００５６】
なお、本実施の形態でタイトルメニュー記録部１６６が記録するＪａｖａ(登録商標）プログラムは、光ディスク上が再生される際に最初に再生されるか、それともトップメニューボタンがユーザにより押された場合に再生されるものとしても良い。
【００５７】
なお、本実施の形態においてユーザが所望のプレイリストやクリップを選択して、所定のグループへ分類整理することを示したが、ディスク上に記録されたプレイリストやクリップを特定の検索条件（撮影日時や撮影場所等）を使ってＡＶデータ処理装置の検索部（図示せず）が検索し、その検索結果を、ひとつのグループとして分類整理しても良い。
【００５８】
なお、本実施の形態において、グループとして分類整理したタイトルメニューの生成は、ユーザの操作により実施されるものとしたが、グループ化の完了時、もしくは、検索処理の完了時にユーザからの支持が無くとも自動的に生成しても良い。
【００５９】
さらに、グループ情報管理ファイルを参照してタイトルメニューを参照するＪａｖａ(登録商標）プログラムを、光ディスクのフォーマット完了後にあらかじめ記録しておいても良い。すなわち、動画ストリームが記録されるよりも前に、またグループ化が行われる前から、グループ情報管理ファイルを参照してタイトルメニューを参照するＪａｖａ(登録商標）プログラムを記録しておいても良い。ただし、この場合、グループが未登録の場合は、その旨をユーザに示してタイトルメニューの表示処理を終了する手順を含む必要があることは言うまでも無い。これにより、グループの新設や、グループのメンバが変更されてもタイトルメニューを表示するＪａｖａ(登録商標）プログラムを変更する必要が無くなる効果がある。
【産業上の利用可能性】
【００６０】
本発明にかかるＡＶデータ処理装置は、グループ化による分類整理した結果を、他のＡＶデータ処理装置においても、均一（一様）に画面表示できる様になるので、分類整理結果をより有効に利用することができるようになり、ディスクムービー、ディスクレコーダ等として有用である。
【図面の簡単な説明】
【００６１】
【図１】本発明の実施の形態におけるＡＶデータ処理装置の構成を示すブロック図
【図２】同実施の形態における光ディスク上のファイル構成を示す概念図
【図３】同実施の形態におけるグループ分けの例を示す模式図
【図４】同実施の形態におけるグループ分け方法を示す模式図
【図５】同実施の形態におけるプレイリスト属性テーブルを示す概念図
【図６】同実施の形態におけるタイトルメニューの画面表示を示す模式図
【図７】同実施の形態におけるタイトルメニューを表示するプログラムの処理内容を示すフローチャート
【図８】同実施の形態における第２のタイトルメニューの画面表示を示す模式図
【図９】同実施の形態における第３のタイトルメニューの画面表示を示す模式図
【符号の説明】
【００６２】
１００    映像信号入力部
１０１    映像圧縮部
１０２    音声信号入力部
１０３    音声圧縮部
１０４    システムエンコード部
１１０    映像表示部
１１１    映像伸長部
１１２    音声出力部
１１３    音声伸長部
１１４    システムデコード部
１２０    記録部
１２１    再生部
１４０    光ディスク
１４１    ピックアップ
１６０    連続データ領域検出部
１６１    記録制御部
１６２    再生制御部
１６３    論理ブロック管理部
１６４    編集制御部
１６５    グループ記録再生部
１６６    タイトルメニュー記録部
１７０    ＭＰＥＧエンコーダ
１７１    ＭＰＥＧデコーダ
１８０    システム制御部
２００    データ処理装置
【図１】
2007122786.tif 000003
【図２】
2007122786.tif 000004
【図３】
2007122786.tif 000005
【図４】
2007122786.tif 000006
【図５】
2007122786.tif 000007
【図６】
2007122786.tif 000008
【図７】
2007122786.tif 000009
【図８】
2007122786.tif 000010
【図９】
2007122786.tif 000011